(57)【要約】【課題】  貫通孔によるデザイン変化と、貫通孔の任意の箇所に飾り部材を容易に着脱できるようにして、バンドのデザインバリエーションの拡大を図り、飾り部材を取り付けても、バンド切れの起きにくいバンドの飾り部材取付構造を提供することにある。【解決手段】  バンド２は貫通孔２ａを有している。飾り部材１２は連結金具１２ｂを備えており、この連結金具１２ｂによってバンド２の貫通孔２ａに取り付けられる。バンド２の貫通孔２ａは複数設けられており、貫通孔２ａがバンド２のデザインに変化を持たせている。連結金具１２ｂは、弾性部材により付勢されたレバーを操作することでリング状の本体部のゲート部を開くことができ、簡単に任意の貫通孔２ａに取り付けることができる。貫通孔２ａは、その強度を高めるため、金属リング１０が取り付けられている。【選択図】  図１
2006141488.tif 000002
【特許請求の範囲】
【請求項１】
クサリ、装飾板等の飾り部材をバンドに取り付ける構造において、時計本体の６時―１２時方向または３時―９時方向にバンドを有し、該バンドの長手方向の両側で、時計本体への取り付け側から先端に向かって複数の貫通孔を有し、少なくとも１つの連結金具を備えた飾り部材を前記バンドの任意の貫通孔に取り付けたことを特徴とするバンドの飾り部材取付構造。
【請求項２】
前記バンドの両サイドの貫通孔は、互い違いに設けられていることを特徴とする請求項１記載のバンドの飾り部材取付構造。
【請求項３】
前記貫通孔には、バンド表面に突出するように金属のリング体が固定されていることを特徴とする請求項１記載のバンドの飾り部材取付構造。
【請求項４】
クサリ、装飾板等の飾り部材をバンドに取り付ける構造において、時計本体の６時―１２時方向または３時―９時方向にバンドを有し、該バンドの時計本体への取り付け側に模様形状の貫通孔を有し、少なくとも１つの連結金具を備えた飾り部材を前記バンドの貫通孔に取り付けたことを特徴とするバンドの飾り部材取付構造。
【請求項５】
前記模様形状の貫通孔は、前記時計本体を挟んで対角となる位置で、それぞれのバンドに設けられていることを特徴とする請求項４記載のバンドの飾り部材取付構造。
【請求項６】
前記模様形状の貫通孔は、前記バンドの時計本体への取り付け側に設けたものと、前記バンドの長手方向の先端側で前記バンドを腕に装着した時、前記時計本体への取り付け側に設けた貫通孔と略反対側に設けられたものとからなることを特徴とする請求項４または請求項５記載のバンドの飾り部材取付構造。
【請求項７】
前記模様形状の貫通孔が設けられた部分のバンド厚は、前記貫通孔が設けられていないバンドの厚１．２倍から１．８倍の範囲であることを特徴とする請求項４、請求項５または請求項６記載のバンドの飾り部材取付構造。
【発明の詳細な説明】
【技術分野】
【０００１】
本発明は、時計本体に取り付けられたバンドに、飾り部材を取り付けることのできるバンドの飾り部材取付構造に関するものである。
【背景技術】
【０００２】
バンドに貴金属、ペンダント等を取り付け及び取り外しができる第１の従来例としては、皮バンドにおいて、尾錠が取り付けられた一方のバンドに取り付けられ且つ他方のバンドの先端部を挿入して固定するための環または遊環に、固定リングを取り付け、貴金属類を有するバネリング（引輪）を前記固定リングに取付けたものが有る（特許文献１参照）。
【０００３】
また、第２の従来例としては、バンドに貫通穴を設け、この貫通穴に、袋ナットとこの袋ナットに螺着される取付ネジを固設したバッジ本体とを取り付け固定し、バッジの紛失防止のため、バッジ本体の下面に、膨頭部を有するフックに丸環を形設した鎖が取着されたものがある（特許文献２参照）。
【０００４】
上記第１の従来例においては、貴金属類が環または遊環に取り付けられるため、貴金属類の取付け位置に変化が無く、使用者が自由にデザイン変化を楽しむことができなかった。また、貴金属類に引っ張る力が加わった場合、皮等からなる環または遊環が切れ、貴金属類が脱落するおそれがあった。更に、環または遊環に貴金属類を取り付けているため、他方のバンドの先端部を環または遊環に挿入しにくいという問題もあった。
【０００５】
上記第２の従来例においては、バンドの貫通穴に、袋ナットとバッジ下面のネジとでバッジ本体を固定しているので、バンドからバッジを取り付け及び取り外す際に、工具が必要であり、バッジの取り付け及び取り外しが面倒であった。また、バンドにバッジがネジ固定されるため、バッジに動きがなく、デザイン変化に乏しいものであった。
【特許文献１】特開昭５９−１８６５０３号
【特許文献２】実開昭５９−１３１７７８号
【発明の開示】
【発明が解決しようとする課題】
【０００６】
本発明の課題は、上記問題点を解決し、バンドに設けた貫通孔によるデザイン変化と、貫通孔の任意の箇所に飾り部材をユーザーが工具なしで容易に着脱できるようにし、バンドのデザインバリエーションの拡大が図れるバンドの飾り部材取付構造を提供すると共に、バンドの貫通孔に飾り部材を取り付けても、バンド切れの起きにくいバンドの飾り部材取付構造を提供することにある。
【課題を解決するための手段】
【０００７】
本発明のバンドの飾り部材取付構造は、クサリ、装飾板等の飾り部材をバンドに取り付ける構造において、時計本体の６時―１２時方向または３時―９時方向にバンドを有し、該バンドの長手方向の両側で、時計本体への取り付け側から先端に向かって複数の貫通孔を有し、少なくとも１つの連結金具を備えた飾り部材を前記バンドの任意の貫通孔に取り付けたものである。このバンドの飾り部材取付構造における前記バンドの両サイドの貫通孔は、互い違いに設けられている。また、前記貫通孔には、バンド表面に突出するように金属のリング体が固定されている。
また、本発明のバンドの飾り部材取付構造は、クサリ、装飾板等の飾り部材をバンドに取り付ける構造において、時計本体の６時―１２時方向または３時―９時方向にバンドを
有し、該バンドの時計本体への取り付け側に模様形状の貫通孔を有し、少なくとも１つの連結金具を備えた飾り部材を前記バンドの貫通孔に取り付けたものである。このバンドの飾り部材取付構造における前記模様形状の貫通孔は、前記時計本体を挟んで対角となる位置で、それぞれのバンドに設けられている。また、前記模様形状の貫通孔は、前記バンドの時計本体への取り付け側に設けたものと、前記バンドの長手方向の先端側で前記バンドを腕に装着した時、前記時計本体への取り付け側に設けた貫通孔と略反対側に設けられたものとからなる。
また、前記模様形状の貫通孔が設けられた部分のバンド厚は、前記貫通孔が設けられていないバンドの厚１．２倍から１．８倍の範囲に設定されている。
【発明の効果】
【０００８】
本発明においては、飾り部材の連結金具をバンドに設けた複数の貫通孔に取り付けているので、バンドに設けた貫通孔によって、バンドにデザイン変化を持たせることができる。
また、貫通孔の任意の箇所に、飾り部材をユーザーが工具なしで容易に着脱することができ、デザインの変化を容易に楽しむことができる。
また、上記のようにデザインを変えることができるので、ユーザーの好みに応じたデザイン表現ができる。
また、バンドの時計本体への取付側とバンドの先端側に飾り部材を設けた場合、バンドを腕に装着したとき、時計本体側（表側）と尾錠側（裏側）とに飾り部材がきて、バンドの装飾効果をいっそう高めることができる。
また、貫通孔部分のバンド厚が厚くなっているので、飾り部材が引っ張られたときの負荷等によりバンド切れが起きることを防ぐことができる。
また、貫通孔の数、位置、形状あるいは飾り部材の取付位置等により、バンドのデザインバリエーションの拡大を図ることができる。
【発明を実施するための最良の形態】
【０００９】
本発明のバンドの飾り部材取付構造におけるバンドには、貫通孔が設けられている。また、飾り部材は連結金具を備えており、この連結金具によってバンドの貫通孔に取り付けられている。バンドの貫通孔は、時計本体への取付側からバンド先端に向かって複数設けられていたり、ハート等の模様形状に形成されており、貫通孔がバンドのデザインに変化を持たせている。また、飾り部材に設けられた連結金具は、弾性部材により付勢されたレバーを操作することでリング状の本体部のゲート部を開くことができ、これにより簡単に任意の貫通孔にリング状の本体部を引っ掛けて取り付けることができる。この連結金具が取り付けられるバンドの貫通孔は、その強度を高めるため、ハトメ等の金属リングを貫通孔に取り付けたり、貫通孔が設けられている部分のバンド厚を厚くしている。
【実施例１】
【００１０】
図１は本発明の実施例１に係るバンドの飾り部材取付構造を示す平面図、図２は図１に示す時計本体とバンドを示す平面図、図３は図２に示すバンドの貫通孔を示す断面図、図４は図１に示す飾り部材を示す平面図、図５乃至図７は図４に示す飾り部材の連結金具を示す平面図である。
【００１１】
バンド２は、皮、布、ウレタンゴム等からなる一対のバンド体２Ａ，２Ｂからなり、時計本体４の６時―１２時方向又は３時―９時方向の端部に取り付けられている。バンド体２Ａ，２Ｂには、それぞれ時計本体４への取付側端部から解放端となっている先端に向かって（バンド長手方向に）複数の貫通孔２ａが設けられている。この貫通孔２ａは、バンド幅方向に一定の間隔をあけて且つバンド長手方向に連なるようにバンドサイドに沿って２列になり、更にその２列の各貫通孔２ａがバンド長手方向に関して互い違いになるように配置されている。
【００１２】
この貫通孔２ａには、図３に示すように、金属製のリング体１０が取り付けられている。このリング体１０は、ハトメと同様に、頭部１０ａが外方に彎曲して径大となっており、バンド２の表面側から貫通孔２ａに通し、バンド２の裏面側に突出した先端１０ｂを外方につぶすことでバンド２に固定されている。
【００１３】
尚、バンド２Ａの先端には尾錠６、バンド２Ｂの先端付近には尾錠６を引っ掛ける係合孔８がそれぞれ設けられている。
【００１４】
飾り部材１２は、中央のクサリ１２ａと、その両端部に設けられた連結金具１２ｂとを備えている。この連結金具１２ｂは、図５及び図６に示すように、一部に切欠部１２ｄを有するリング形状をなす本体部１２ｃと、この本体部１２ｃに軸１２ｈにて回動自在に取り付けられると共に一端が本体部１２ｃの切欠部１２ｄを塞ぐゲート部１２ｅを形成し且つ他端が本体部１２ｃから突出して操作部１２ｆを形成するレバー１２ｇと、軸１２ｈに外嵌され一端が本体部１２ｃの内部に係合し他端がレバー１２ｇの内部に係合してゲート部１２ｅが切欠部１２ｄを塞ぐ方向にレバー１２ｇを付勢するコイルバネ等からなる弾性部材１２ｉと、を備えている。
【００１５】
この連結金具１２ｂは、レバー１２ｇが弾性部材１２ｉにより付勢されることで切欠部１２ｄにゲート部１２ｅがリングの内側から係合し、これにより切欠部１２ｄを塞いでリング形状をなす状態になっている。このため、ゲート部１２ｅを内側へ押すだけでレバー１２ｇが回動し、ゲート部１２ｅを開くことができる。また、操作部１２ｆを押圧してレバー１２ｇを回動させることでゲート部１２ｅを開くことができる。
【００１６】
また、この連結金具１２ｂとして、図７に示すような構造のものを使用することもできる。即ち、この連結金具１２ｂは、切欠部１２ｊを有するリング形状をなす管体からなる本体部１２ｋと、その内部に収められたＣ形状のレバー１２ｍと、本体部１２ｋ内に収められレバー１２ｍを付勢するコイルバネ等の弾性部材１２ｎと、を備えている。レバー１２ｍは、本体部１２ｋの外周に設けられたスリットから突出する操作部１２ｐを有し、この操作部１２ｐを操作することで弾性部材１２ｎを圧縮するようにレバー１２ｍを動かして、レバー１２ｍ端部のゲート部１２ｑを開くことができる。
【００１７】
上記構成からなる本実施例の飾り部材取付構造においては、飾り部材１２の連結金具１２ｂをバンド２の貫通孔２ａに取り付けることで、飾り部材１２をバンド２に着脱自在に取り付けることができる。これにより、ユーザーが任意の貫通孔２ａに飾り部材１２を取り付けることができ、例えば図１に示すように、バンド体２Ａ，２Ｂの貫通孔２ａにそれぞれ連結金具１２ｂを取り付けて、時計本体４に対して斜めにクサリ１２ａが横切るように飾り部材１２を取り付けたり、バンド体２Ａ，２Ｂの一方にある貫通孔２ａに２つの連結金具１２ｂを取り付けてクサリ１２ａがバンド２からぶら下がるように取り付けることができる。
【実施例２】
【００１８】
図８は本発明の実施例２に係るバンドの飾り部材取付構造を示す平面図、図９は図８に示す時計本体とバンドを示す平面図、図１０は図９に示すバンドの断面図、図１１は飾り部材を示す平面図である。尚、実施例１と同一部分には同一の符号が付してある。
【００１９】
本実施例におけるバンド２２のバンド体２２Ａ，２２Ｂには、ハート形状等の模様形状をなす貫通孔２２ａがそれぞれ設けられている。バンド体２２Ａ，２２Ｂに設けられている貫通孔２２ａは、バンド幅方向に偏った位置に設けられており、時計本体４を挟んで対角となる位置にそれぞれ形成されている。また、貫通孔２２ａ周囲の強度を高めるため、
図１０に示すように、この貫通孔２２ａが設けられているバンド部２２ｂのバンド厚は、貫通孔２２ａが設けられていないバンド部２２ｃのバンド厚の１．２倍から１．８倍の厚さに設定されている。貫通孔２２ａが設けられているバンド厚が貫通孔２２ａの設けられていないバンド厚の１．２倍より薄い場合、バンドの耐久性に問題が発生しやすく（例えば、常に同じ貫通孔２２ａに飾り部材３２を取り付けた場合、貫通孔２２ａ付近に切れが発生しているのに、他の部分が傷んでいない場合が多い）、また、１．８倍より厚くなった場合、腕への装着感が悪くなると共に、外観品質（バンド全体の見栄え）も悪くなる。このため、前述のバンド厚の範囲内にバンド部２２ｂの厚みを設定することが好ましい。
【００２０】
一方、飾り部材３２は、その一端に前述した連結金具１２ｂと同一構造を有する連結金具３２ｂを有し、他端にハート形状等をなす飾り部３２ａを有している。この連結金具３２ｂと飾り部３２ａは、クサリあるいはリング等で連結されている。また、飾り部３２ａは、図１１に示すように、球形状、三日月形状、リボン形状、ハート形状等、各種形状に形成可能であり、貴石、宝石、真珠等を取り付けることもできる。
【００２１】
本実施例においては、貫通孔２２ａ自体がデザインを向上させ、また、その貫通孔２２ａに飾り部材３２を連結金具３２ｂによって着脱自在に取り付けることで、より動きのある装飾を施してデザインを向上させることができる。
【実施例３】
【００２２】
図１２は本発明の実施例３に係るバンドの飾り部材取付構造を示す平面図、図１３は図１２に示す時計本体とバンドを示す平面図である。尚、実施例１，２と同一部分には同一の符号が付してある。
【００２３】
本実施例におけるバンド４２のバンド体４２Ａ，４２Ｂには、前述したバンド２２の貫通孔２２ａと同様に、時計本体４を挟んで対角をなす位置であると共に時計本体４に取り付けられている端部側に貫通孔４２ａが設けられており、また、先端側であって且つバンド４２を腕に装着して略リング状にしたときに、貫通孔４２ａと略反対側に位置する貫通孔４２ｂが設けられている。この貫通孔４２ａ，４２ｂもハート形状等の模様形状を有している。この貫通孔４２ａ，４２ｂが設けられているバンド部のバンド厚も、実施例２と同様に、貫通孔４２ａ，４２ｂが設けられていないバンド部のバンド厚の１．２倍から１．８倍の厚さに設定されている。
【００２４】
飾り部材３２は、実施例２のものと同一であり、その連結金具３２ｂによって着脱自在な状態で貫通孔４２ａ，４２ｂに取り付けられる。本実施例においては、バンド４２を腕に装着したときに、時計本体４付近と尾錠６付近にそれぞれ貫通孔４２ａ，４２ｂが位置することになる。このため、この貫通孔４２ａ，４２ｂにそれぞれ飾り部材３２を取り付けると腕の表側と裏側にそれぞれ飾り部材３２が吊り下げられることになり、どのような角度からバンドを見ても貫通孔４２ａ，４２ｂと飾り部材３２が見えてデザインの向上を図ることができる。
【産業上の利用可能性】
【００２５】
本発明のバンドの飾り部材取付構造は、実施例に示すように時計バンドに用いることにより時計の装飾を向上させることができる。この他、各種バンドの装飾としても利用可能である。
【図面の簡単な説明】
【００２６】
【図１】本発明の実施例１に係るバンドの飾り部材取付構造を示す平面図である。
【図２】図１に示す時計本体とバンドを示す平面図である。
【図３】図２に示すバンドの貫通孔を示す断面図である。
【図４】図１に示す飾り部材を示す平面図である。
【図５】図４に示す飾り部材の連結金具を示す平面図である。
【図６】図４に示す飾り部材の連結金具を示す平面図である。
【図７】図４に示す飾り部材の連結金具を示す平面図である。
【図８】本発明の実施例２に係るバンドの飾り部材取付構造を示す平面図である。
【図９】図８に示す時計本体とバンドを示す平面図である。
【図１０】図９に示すバンドの断面図である。
【図１１】飾り部材を示す平面図である。
【図１２】本発明の実施例３に係るバンドの飾り部材取付構造を示す平面図である。
【図１３】図１２に示す時計本体とバンドを示す平面図である。
【符号の説明】
【００２７】
２，２２，４２    バンド
２Ａ，２Ｂ，２２Ａ，２２Ｂ，４２Ａ，４２Ｂ    バンド体
２ａ，２２ａ，４２ａ，４２ｂ    貫通孔
４            時計本体
６            尾錠
８            係合孔
１０          金属リング
１０ａ        頭部
１０ｂ        先端
１２，３２    飾り部材
１２ａ        クサリ
１２ｂ，３２ｂ    連結金具
１２ｃ，１２ｋ    本体部
１２ｄ，１２ｊ    切欠部
１２ｅ，１２ｑ    ゲート部
１２ｆ，１２ｐ    操作部
１２ｇ，１２ｍ    レバー
１２ｈ            軸
１２ｉ，１２ｎ    弾性部材
【図１】
2006141488.tif 000003
【図２】
2006141488.tif 000004
【図３】
2006141488.tif 000005
【図４】
2006141488.tif 000006
【図５】
2006141488.tif 000007
【図６】
2006141488.tif 000008
【図７】
2006141488.tif 000009
【図８】
2006141488.tif 000010
【図９】
2006141488.tif 000011
【図１０】
2006141488.tif 000012
【図１１】
2006141488.tif 000013
【図１２】
2006141488.tif 000014
【図１３】
2006141488.tif 000015